(57)【要約】      （修正有）【課題】人間工学に適合し、積み重ねて保管しやすく、加工製造しやすいスツールを提供する。【解決手段】スツールは、一体成形過程において、後段の座面１０が直接上向きに弧形に反り上げられ、使用者の臀部後側を押し当てる当接壁１１が形成され、当接壁の後方根元部とスツールの後壁１４上縁との間に、通気及びスツールを掴むための貫通口１２が形成される。貫通口により、スツールを積み重ねる際に空気が抜け、且つ指を差し込んでスツールを掴めるようになる。また、スツールの座面下方には、下向きに垂直に延伸されつつ開口する組み合わせ溝が成形され、係止部材２が組み合わせ溝に既定の長さ分挿設固定される。係止部材によりスツールが積み重ねられる際に、互いに密着せず、簡単に離して取り出せるようになる。【選択図】図１
0003221517.tif 000002
【実用新案登録請求の範囲】
【請求項１】
一体成形過程において、後段の座面が直接上向きに弧形に反り上げられて使用者の臀部後側を押し当てるための当接壁が構成され、
反り上げられた前記当接壁の後方根元部とスツールの後壁上縁との間には貫通口が形成され、
且つ座面下方には下向きに垂直に延伸されつつ開口する組み合わせ溝が成形され、係止部材が前記組み合わせ溝に既定の長さ分挿設固定され、前記組み合わせ溝から下向きに垂直に延伸されることを特徴とするスツール。
【請求項２】
上向きに弧形に反り上げられて構成される、使用者の臀部後側を押し当てるための前記当接壁は、板状当接壁であることを特徴とする請求項１に記載のスツール。
【請求項３】
上向きに弧形に反り上げられて構成される使用者の臀部後側を押し当てるための前記当接壁の厚さは、スツールの座面の厚さ以上であることを特徴とする請求項１に記載のスツール。
【考案の詳細な説明】
【技術分野】
【０００１】
本考案は、スツールに関し、更に詳しくは、人間工学に適合し、積み重ねて保管しやすく加工製造が容易なスツールに関する。
【背景技術】
【０００２】
一般的に成形されるスツールの大部分は、均しく平坦な座面、及び地面に着地するための脚部を有しており、平坦な座面の形状はデザインコンセプトや美観の好みの違いに応じられるように、四角い座面や円形の座面等の様々なスツールが存在する。
一般消費者は皆、スツールは低価格で凡庸な設計の簡易な椅子であると考えているため、スツールの座り心地はさほど重視されておらず、スツールの外観もあまり重視されていない。
このため、購入し使用するスツールに対する消費者の評価は、長く座るためには不適格で座り心地が悪く、デザインに芸術性や創造性といった美感も備わっていない、といったものになる。
【考案の概要】
【考案が解決しようとする課題】
【０００３】
したがって、従来技術のスツールを臨時会議やイベント会場等に設置して長時間着席させる場合、スツールの座り心地が悪いため、使用者の不快感が増す。イベント会場や家庭に設置するにしても、美観が悪い。また、スツールを保管する場合、積み重ねて保管することが多いが、この場合上下に積み重ねられたスツールの重さによってスツール同士が密着するため、スツールを取り出す際に１つ１つ分離しにくくなり、不便で面倒であった。
【０００４】
そこで、本考案者は上記の欠点が改善可能と考え、鋭意検討を重ねた結果、人間工学に適合し、構造が簡易であり、積み重ねても取り出しやすく、且つ座り心地の良さと芸術的な美感を兼ね備えたスツールを考案することができた。
【０００５】
本考案のスツールはこうした状況に鑑みてなされたものであり、その目的は、以下のとおりである。
１．人間工学に適合した設計で、座り心地が良く、簡易な構造のスツールを提供する。
２．傑出した新規性及び実用性を備えたスツールを提供する。
３．軽くて積み重ねても取り出しやすいスツールを提供する。
４．産業上の利用性及び経済効率を兼ね備えたスツールを提供する。
【課題を解決するための手段】
【０００６】
上記課題を解決するために、本考案のある態様のスツールは、スツールの一体成形過程において、スツールの後段の座面が直接上向きに弧形に反り上げられて使用者の臀部後側を押し当てるための当接壁が構成される。
反り上げられる前記当接壁の後方根元部とスツールの後壁上縁との間には貫通口が形成される。
スツールの座面下方には下向きに垂直に延伸されつつ開口する組み合わせ溝が成形され、係止部材が組み合わせ溝に既定の長さ分挿設固定され、組み合わせ溝から下向きに垂直に延伸される。
【０００７】
好ましくは、上向きに弧形に反り上げられて構成される、使用者の臀部後側が押し当てるための当接壁は、板状当接壁である。
【０００８】
好ましくは、上向きに弧形に反り上げられて構成される使用者の臀部後側を押し当てるための当接壁の厚さは、スツールの座面の厚さ以上である。
【考案の効果】
【０００９】
一体成形される当接壁、貫通口、及び組み合わせ溝、並びに係止部材の設置により、人間工学に適合する設計が得られるため座り心地がよく、また構造が簡易になり、手早く組み立てられる等の効果が得られるため、傑出した新規性及び実用性を備えるスツールとなる。
【図面の簡単な説明】
【００１０】
【図１】本考案の一実施形態に係るスツールを示す斜視図である。
【図２】本考案のスツールを示す前面図である。
【図３】図２に示す一実施形態の右側面図である。
【図４】図２に示す一実施形態の上面図である。
【図５】図２に示す一実施形態の底面図である。
【図６】図１に示すＡ−Ａ線に沿う断面図である。
【図７】本考案のスツールを積み重ねた状態の概略図である。
【考案を実施するための形態】
【００１１】
以下、本考案の実施の形態について、図面を参照して詳細に説明する。
なお、本考案は以下の例に限定されるものではなく、本考案の要旨を逸脱しない範囲で、任意に変更可能であることは言うまでもない。
【００１２】
本考案の実施の形態を添付した図面に基づいて詳細に説明する。
本考案に係るスツール１は、一体成形過程においてスツール１の後段の座面１０が直接上向きに弧形に反り上げられて使用者が臀部後側を押し当てるための当接壁１１が構成され、反り上げられる前記当接壁１１の後方根元部と後壁１４上縁との間には貫通口１２が形成される。
前記貫通口１２によりスツール１が積み重ねられる際に空気が抜けるようになり、使用者が指を差し込んでスツールを掴んで持ち上げることが可能になる。
また、スツール１の座面１０の下方には下向きに垂直に延伸されつつ開口する組み合わせ溝１３が成形され、係止部材２が組み合わせ溝に既定の長さ分挿設固定され、組み合わせ溝から下向きに垂直に延伸される。
【００１３】
後段の座面１０の上向きに弧形に反り上げられて構成される使用者が臀部後側を押し当てるための当接壁１１は、スツール１の後段の座面１０が直接上向きに弧形に反り上げられる。
弧形反り上げられる前記当接壁１１は板状の当接壁１１であり、当接壁１１の厚さはスツール１の座面１０の厚さ以上である。
【００１４】
スツール１の座面下方には下向きに垂直に延伸されつつ開口する組み合わせ溝１３が成形されて既定の長さ下向きに垂直に延伸される係止部材２に挿設固定される。
前記係止部材２は上向きに開口する中空体であり、その下端は閉鎖された係止面２０であり、係止部材２の上段の外部には１つ以上の係合リブ２１が設けられ、係止部材２が座面下方の組み合わせ溝１３中に挿設固定される。
図７に示されるように、前記係止部材２によりスツール１が積み重ねられる際に安定し、互いに密着しないようになり、積み重ねられたスツール１を簡単に離して取り出せるようになる。
【００１５】
また、スツール１本体の座面の平面形状は方形、円形、楕円形、或いは他の幾何学的平面形状でもよい。
図３に示されるように、スツール１本体の前壁１５と地平面との間の挟角Ｂの角度は後壁１４と地平面との間の挟角Ｃの角度よりも大きく、スツール１が後に傾かないようにする強度及び支持する安全性を兼ね備える。
【００１６】
本考案の技術により創作された一体成形された当接壁、貫通口、及び組み合わせ溝、並びに係止部材の設置により、スツールが人間工学に適合する設計を得られ、座り心地が良く、簡易な構造で手早く組み立てられる等の効果が得られ、スツールが傑出した新規性及び実用性を備える。
【００１７】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００１８】
１    スツール
１０  座面
１１  当接壁
１２  貫通口
１３  組み合わせ溝
１４  後壁
１５  前壁
２    係止部材
２０  係止面
２１  係合リブ
Ｂ    挟角
Ｃ    角
【図１】
0003221517.tif 000003
【図２】
0003221517.tif 000004
【図３】
0003221517.tif 000005
【図４】
0003221517.tif 000006
【図５】
0003221517.tif 000007
【図６】
0003221517.tif 000008
【図７】
0003221517.tif 000009